(57)【要約】      （修正有）【課題】発熱している病人に対し、着衣・脱衣をさせやすく、病人が寝たままの状態で保冷材の取り替えが容易に行え、さらに構造がシンプルな衣類を提供する。【解決手段】ベスト１は、ユーザが頭を出すための孔が設けられた本体部１１と、本体部１１を脇腹部分で開閉するための右側連結部材１２および左側連結部材１３と、本体部１１の前身頃部分に設けられた切れ目の左右の部分を開閉するための前側連結部材１４とを有する。さらに、本体部１１の肩部内側に取り付けられた右側連結紐１５および左側連結紐１６と、それらの連結紐に連結され脇の下に取り付けられる右側収納袋１７および左側収納袋１８とを備えている。右側収納袋１７および左側収納袋１８には、保冷材ＣＲおよび保冷材ＣＬをそれぞれ収納することができる。【選択図】図１
0003173539.tif 000002
【実用新案登録請求の範囲】
【請求項１】
前記ユーザに着衣された状態において、前記ユーザの背側を覆う後身頃部分と、前記後身頃部分と前記ユーザの肩上で連続し前記ユーザの腹側を覆う前身頃部分とを構成する１枚の布地である本体部
を備え、
前記本体部には、前記ユーザに着衣される際に前記ユーザの頭部を出すための孔が前記後身頃部分と前記前身頃部分の間に設けられ、
前記本体部には、前記孔の縁端上の前側の一点から前記前身頃の下縁端上の一点に至る切れ目が設けられ、
前記後身頃部分の右縁端と、前記前身頃部分の右縁端とを、前記ユーザに着衣された状態において、前記ユーザの右脇腹において互いに開閉可能に連結する右側連結部材と、
前記後身頃部分の左縁端と、前記前身頃部分の左縁端とを、前記ユーザに着衣された状態において、前記ユーザの左脇腹において互いに開閉可能に連結する左側連結部材と、
前記前身頃の前記切れ目の右側部分と左側部分を、前記ユーザに着衣された状態において、前記ユーザの前側において互いに開閉可能に連結する前側連結部材と、
被収納物を収納可能な袋であり、前記ユーザに着衣された状態において、前記本体部の前記ユーザの右肩にあたる部分から下方に垂れ下がるように前記本体部に連結される右側収納袋と、
前記右側収納袋と前記本体部とを互いに着脱可能に連結する右側連結紐と、
被収納物を収納可能な袋であり、前記ユーザに着衣された状態において、前記本体部の前記ユーザの左肩にあたる部分から下方に垂れ下がるように前記本体部に連結される左側収納袋と、
前記左側収納袋と前記本体部とを互いに着脱可能に連結する左側連結紐と
を備えるベスト。
【請求項２】
前記布地は、タオル地である
請求項１に記載のベスト。
【請求項３】
前記右側連結紐における前記本体部との連結位置、前記右側連結紐における前記右側収納袋との連結位置、および前記右側連結紐の長さの少なくとも一つを変更可能な構造を備え、
前記左側連結紐における前記本体部との連結位置、前記左側連結紐における前記左側収納袋との連結位置、および前記左側連結紐の長さの少なくとも一つを変更可能な構造を備える
請求項１または２に記載のベスト。
【請求項４】
前記孔の縁端に取り付けられ、前記ユーザに着衣された状態において前記ユーザの首回りに位置する襟部を備え、
前記襟部には、被収納物を収納可能な収納袋が設けられている
請求項１乃至３のいずれかに記載のベスト。
【請求項５】
前記孔の縁端に取り付けられ、前記ユーザに着衣された状態において前記ユーザの首回りに位置する襟部を備え、
前記襟部の縁端と、前記ユーザに着衣された状態において、前記本体部の前記襟部の縁端に対向する位置とを開閉可能に連結する襟部連結部材と
を備え、
前記襟部と前記本体部との間の空間に被収納物を収納可能な
請求項１乃至３のいずれかに記載のベスト。
【考案の詳細な説明】
【技術分野】
【０００１】
本考案は、例えば熱を冷ましたい病人などに用いられるベストに関する。
【背景技術】
【０００２】
子供が風邪を引いて発熱したような場合、その子供の脇の下などに保冷材を当てて熱を下げることが有効な処置方法であるとされている。
【０００３】
しかし、寝ている間も寝返りなどの動きが伴うため、保冷材を身体の適切な位置に当て続けることは容易ではない。
【０００４】
そこで、特許文献１に開示される技術は、所定のホルダーと面ファスナーを利用することにより、ピンポイントで保冷材をユーザの身体に固定できる手段を提供している。
【先行技術文献】
【特許文献】
【０００５】
【特許文献１】特開２００６−１１０３０５号公報
【考案の概要】
【考案が解決しようとする課題】
【０００６】
上記の特許文献１をはじめ、発熱している病人の脇の下などに保冷材を配置するための器具や衣服は複数、提案され、それらの一部は製造・販売されている。ただし、発熱している病人に対し、看病する者が容易に着衣・脱衣をさせやすく、病人が寝たままの状態で保冷材の取り替えが容易に行え、さらに構造がシンプルで安価である、という条件を全て満たすものは市場において未だ提供されていない。
【０００７】
そこで、本考案は、上記の条件を満たす衣服を提供することを目的とする。
【課題を解決するための手段】
【０００８】
本考案は、上記の目的に鑑みて想到されたものであり、
前記ユーザに着衣された状態において、前記ユーザの背側を覆う後身頃部分と、前記後身頃部分と前記ユーザの肩上で連続し前記ユーザの腹側を覆う前身頃部分とを構成する１枚の布地である本体部
を備え、
前記本体部には、前記ユーザに着衣される際に前記ユーザの頭部を出すための孔が前記後身頃部分と前記前身頃部分の間に設けられ、
前記本体部には、前記孔の縁端上の前側の一点から前記前身頃の下縁端上の一点に至る切れ目が設けられ、
前記後身頃部分の右縁端と、前記前身頃部分の右縁端とを、前記ユーザに着衣された状態において、前記ユーザの右脇腹において互いに開閉可能に連結する右側連結部材と、
前記後身頃部分の左縁端と、前記前身頃部分の左縁端とを、前記ユーザに着衣された状態において、前記ユーザの左脇腹において互いに開閉可能に連結する左側連結部材と、
前記前身頃の前記切れ目の右側部分と左側部分を、前記ユーザに着衣された状態において、前記ユーザの前側において互いに開閉可能に連結する前側連結部材と、
被収納物を収納可能な袋であり、前記ユーザに着衣された状態において、前記本体部の前記ユーザの右肩にあたる部分から下方に垂れ下がるように前記本体部に連結される右側収納袋と、
前記右側収納袋と前記本体部とを互いに着脱可能に連結する右側連結紐と、
被収納物を収納可能な袋であり、前記ユーザに着衣された状態において、前記本体部の前記ユーザの左肩にあたる部分から下方に垂れ下がるように前記本体部に連結される左側収納袋と、
前記左側収納袋と前記本体部とを互いに着脱可能に連結する左側連結紐と
を備えるベストを提供する（第１の実施態様）。
【０００９】
また、上記の第１の実施態様において、
前記布地は、タオル地である
構成を採用してもよい（第２の実施態様）。
【００１０】
また、上記の第１または２の実施態様において、
前記右側連結紐における前記本体部との連結位置、前記右側連結紐における前記右側収納袋との連結位置、および前記右側連結紐の長さの少なくとも一つを変更可能な構造を備え、
前記左側連結紐における前記本体部との連結位置、前記左側連結紐における前記左側収納袋との連結位置、および前記左側連結紐の長さの少なくとも一つを変更可能な構造を備える
構成を採用してもよい（第３の実施態様）。
【００１１】
また、上記の第１乃至３のいずれかの実施態様において、
前記孔の縁端に取り付けられ、前記ユーザに着衣された状態において前記ユーザの首回りに位置する襟部を備え、
前記襟部には、被収納物を収納可能な収納袋が設けられている
構成を採用してもよい（第４の実施態様）。
【００１２】
また、上記の第１乃至３のいずれかの実施態様において、
前記孔の縁端に取り付けられ、前記ユーザに着衣された状態において前記ユーザの首回りに位置する襟部を備え、
前記襟部の縁端と、前記ユーザに着衣された状態において、前記本体部の前記襟部の縁端に対向する位置とを開閉可能に連結する襟部連結部材と
を備え、
前記襟部と前記本体部との間の空間に被収納物を収納可能な
構成を採用してもよい（第５の実施態様）。
【考案の効果】
【００１３】
本考案の第１の実施態様にかかるベストによれば、肩から脇の下へと垂れ下がる左右の収納袋に保冷材を収納することで、病人の脇の下に確実に保冷材を当て続けることができ、病人の発熱を効果的に冷ますことができる。また、ベストの脇腹部分が開閉可能であるため、脇の下に配置される収納袋に対する保冷材の出し入れも容易であり、保冷材の交換時に病人を起こす必要もない。また、本体部の基本構造が、概ね長方形状の１枚の生地に孔を開け前身頃部分を上下方向に貫くように切れ目を入れた、というシンプルな構造であるため、比較的低額で製造可能である。
【００１４】
また、本考案の第２の実施態様にかかるベストによれば、ベストを構成する布地がタオル地なので、病人が多量に発汗してもその汗をしっかりと吸収することができ、病人にとって寝汗による不快感が軽減される。
【００１５】
また、本考案の第３の実施態様にかかるベストによれば、着衣する病人の腕の太さ等に応じて、本体部と収納袋とを連結する連結紐の長さを調整することができる。その結果、着衣する病人の体格が様々であっても、収納袋に収納される保冷材の位置を、それらの病人の各々に応じた適当な位置に合わせることができる。
【００１６】
また、本考案の第４の実施態様にかかるベストによれば、襟部に収納袋が設けられているので、その収納袋に例えば保冷材を収納することで、首回りを冷却することもできる。
【００１７】
また、本考案の第５の実施態様にかかるベストによれば、襟部と本体部との間の空間に被収納物を収納可能なので、その空間に例えば保冷材を収納することで、本考案の第４の実施態様と同様に、首周りを冷却することもできる。
【図面の簡単な説明】
【００１８】
【図１】図１は、本考案の一具体例である実施例にかかるベスト（広げた状態）の平面図である。
【図２】図２は、本考案の一具体例である実施例にかかるベスト（着衣された状態）の正面図である。
【図３】図３は、本考案の一具体例である実施例にかかるベスト（着衣された状態）の背面図である。
【図４】図４は、本考案の一具体例である実施例にかかるベスト（着衣された状態）の右側面図である。
【図５】図５は、本考案の一具体例である実施例にかかるベスト（着衣された状態）の左側面図である。
【考案を実施するための形態】
【００１９】
（実施例）
以下、本考案の一実施例にかかるベスト１を、図面を用いて説明する。
【００２０】
図１は、平面上に広げた状態のベスト１を上から見た平面図である。また、図２〜図５はそれぞれ、ユーザに着衣された状態のベスト１の正面図、背面図、右側面図、および左側面図である。なお、本願においてベスト１の左右をいう場合、ベスト１を着衣しているユーザから見た左右をいうものとする。
【００２１】
ベスト１は、本体部１１と、右側連結部材１２と、左側連結部材１３と、前側連結部材１４と、右側連結紐１５と、左側連結紐１６と、右側収納袋１７と、左側収納袋１８とを備えている。
【００２２】
本体部１１は、図１に示されるように、平面上に広げた状態で概ね長方形状をなす１枚のタオル地の生地に、ユーザが頭を出すための孔Ｈと、ユーザの腹側において着衣・脱衣の際に開閉するための切れ目Ｓとを設けた構造を備えている。
【００２３】
孔Ｈは、本体部１１の長手方向（図１における上下方向）の概ね中央位置、かつ左右方向（図１における左右方向）の中央位置に設けられている。本体部１１のうち、孔Ｈから見て後側（図１における上側）が、ユーザに着衣された状態においてユーザの背中を覆う部分、すなわち後身頃部分となり、孔Ｈから見て前側（図１における下側）が、ユーザに着衣された状態においてユーザの腹中を覆う部分、すなわち前身頃部分となる。
【００２４】
従って、本体部１１は、ユーザに着衣された状態において、そのままでは後身頃部分と前身頃部分とがユーザの左右の脇腹部分において分離された状態となっている。その脇腹部分の分離されている後身頃部分と前身頃部分とを開閉可能とするために、右脇腹部分に位置する本体部１１の右側縁部に右側連結部材１２が、左脇腹部分に位置する本体部１１の左側縁部に左側連結部材１３が、各々設けられている。
【００２５】
右側連結部材１２および左側連結部材１３は、各々、本体部１１の右側縁端および左側縁端に縫い付けられた３対のスナップボタンである。スナップボタンはオス部材がメス部材に嵌り込むことにより、それらが取り付けられている２枚のシート状物を互いに連結する役割を果たす。この場合、例えば本体部１１の前身頃部分にメス部材が、後身頃部分にオス部材が、それぞれベスト１が着衣された状態において互いに寄り添う位置に縫い付けられている。
【００２６】
ユーザもしくはユーザを看病する者（以下、「看護者」という）は、右側連結部材１２および左側連結部材１３の各対のスナップボタンのメス部材とオス部材とを互いに押し付け合って連結させることにより、それらが縫い付けられた前身頃部分と後身頃部分とを左右の脇腹において連結することができる。また、ユーザもしくは看護者は、互いに連結されたスナップボタンの各対を引き離すように力を加えることにより、メス部材からオス部材を取り外し、前身頃部分と後身頃部分とを左右の脇腹において分離することができる。
【００２７】
上記のように、ベスト１においては本体部１１が左右の脇腹において容易に連結・分離可能であるため、ユーザに対するベスト１の着衣・脱衣が容易である。例えば、ベスト１を着衣したユーザからベスト１を脱衣させたい場合、ユーザが仰向けに寝たままの状態で右側連結部材１２および左側連結部材１３の連結を解いて、前身頃部分をユーザの頭の上側にはねのけた後、ユーザの背中を少し持ち上げて後身頃部分をユーザの背中と布団との間から抜くことで、その脱衣を行うことができる。着衣の場合は脱衣と逆の手順で、同じく容易にそれを行うことができる。
【００２８】
前側連結部材１４は、切れ目Ｓの左右に位置する本体部１１の縁端に縫い付けられた４対のスナップボタンである。前側連結部材１４に用いられるスナップボタンは、上述した右側連結部材１２および左側連結部材１３に用いられるスナップボタンと同様の構造を備える。この場合、例えば切れ目Ｓの左側の縁端にメス部材が、切れ目Ｓの右側の縁端にオス部材が、それぞれベスト１が着衣された状態において互いに寄り添う位置に縫い付けられている。
【００２９】
ユーザもしくは看護者は、前側連結部材１４の各対のスナップボタンのメス部材とオス部材とを互いに押しつけ合って連結したり、それらを引き離すように力を加えそれらの連結を解除したりすることで、本体部１１の前身頃部分を左右方向の中央で閉じたり開いたりすることができる。
【００３０】
ユーザもしくは看護者は、ベスト１をユーザに対し着衣・脱衣する際に、前側連結部材１４の連結を一部もしくは全て解いて前側を開くことで、孔Ｈに対するユーザの頭の出し入れを容易にすることができる。また、前側連結部材１４の連結を全て解くことで、右側連結部材１２および左側連結部材１３の連結を維持し左右の脇腹を閉じたままの状態でも、通常のベストを着衣・脱衣する要領でユーザに対しベスト１を着衣・脱衣することもできる。
【００３１】
右側連結紐１５および左側連結紐１６はそれぞれ、本体部１１の右肩および左肩の内側（着衣時にユーザに身体に対向する側）に、前後方向に並ぶほうに、その一方の端部が縫い付けられている２本１組の紐状体であり、本体部１１と同様にタオル地で作られている。これらの２本の紐状体の各々の本体部１１に縫い付けられていない側の端部付近には、例えば２センチメートルの間隔を開けて、スナップボタンのオス部材が３個、縫い付けられている。これら２本１組の紐状体は、ベスト１が着衣された状態において、それぞれユーザの肩から腕の前側および後側に垂れ下がり、右側収納袋１７および左側収納袋１８に連結され、それらを吊り下げる役割を果たす。
【００３２】
右側収納袋１７および左側収納袋１８は各々、保冷材ＣＲおよび保冷材ＣＬを収納可能な小袋であり、本体部１１と同様にタオル地で作られている。右側収納袋１７および左側収納袋１８の各々の外側（ユーザの身体に対向しない側）の面上には、横方向に並ぶようにスナップボタンのメス部材が２個、縫い付けられている。これらのメス部材には、上述した右側連結紐１５および左側連結紐１６の各々の、２本１組の紐状体の端部付近に取り付けられているスナップボタンのオス部材のいずれかが連結される。その結果、右側収納袋１７および左側収納袋１８が各々、右側連結紐１５および左側連結紐１６によりユーザの脇の下部分に吊り下げられることになる。
【００３３】
ユーザもしくは看護者は、本体部１１を着衣した後、腕の前後に垂れ下がった右側連結紐１５および左側連結紐１６に右側収納袋１７および左側収納袋１８をそれぞれ取り付けることにより、保冷材ＣＲおよび保冷材ＣＬを容易に脇の下に配置することができる。その際、ユーザもしくは看護者は、右側収納袋１７および左側収納袋１８のオス部材に連結する右側連結紐１５および左側連結紐１６のメス部材を選択することで、右側連結紐１５および左側連結紐１６の本体部１１から連結位置までの長さを調節することができる。従って、ユーザの腕の太さなどの体格に応じて、丁度よい位置に右側収納袋１７および左側収納袋１８を配置することができる。
【００３４】
なお、ユーザもしくは看護者が保冷材ＣＲよび保冷材ＣＬを右側収納袋１７および左側収納袋１８に収納するタイミングは、右側収納袋１７および左側収納袋１８を右側連結紐１５および左側連結紐１６に取り付ける前であっても後であってもよい。
【００３５】
以上のような構成を備えるベスト１を使用方法の一例を簡単に説明する。
【００３６】
例えば、子供が風邪を引いて発熱した場合、その子供の親は本体部１１の後身頃部分の上に子供の背中が当たるように子供を寝かせる。続いて、親は孔Ｈに子供の頭が入るように前身頃部分の右側部分、左側部分を子供の腹の上に載せ、前側連結部材１４でそれらを閉じる。
【００３７】
続いて親は、右側連結紐１５および左側連結紐１６の前側の紐状体および後側の紐状体がそれぞれ子供の腕の前側および後側を通るようにそれらの位置を直した後、保冷材ＣＲおよび保冷材ＣＬを収納した右側収納袋１７および左側収納袋１８を右側連結紐１５および左側連結紐１６に取り付ける。その結果、右側収納袋１７および左側収納袋１８が子供の右脇の下および左脇の下にそれぞれ固定される。
【００３８】
続いて、親は右側連結部材１２および左側連結部材１３で本体部１１の右脇腹部分および左脇腹部分をそれぞれ閉じる。これにより、子供に対するベスト１の着衣が完了する。
【００３９】
親は、ベスト１を子供から脱衣させたい場合、ちょうど上述した着衣の手順と逆の手順により、それを行うことができる。
【００４０】
また、親は、ベスト１を脱衣させることなく、保冷材ＣＲおよび保冷材ＣＬを交換することもできる。具体的には、右側連結部材１２および左側連結部材１３の一部もしくは全てを開き、右側連結紐１５および左側連結紐１６から右側収納袋１７および左側収納袋１８を取り外し、保冷材ＣＲおよび保冷材ＣＬを取り替えた後、右側連結紐１５および左側連結紐１６に右側収納袋１７および左側収納袋１８を取り付け、右側連結部材１２および左側連結部材１３を閉じることにより、保冷材ＣＲおよび保冷材ＣＬの交換ができる。
【００４１】
以上のように、ベスト１によれば、ユーザに対する着衣・脱衣が容易で、保冷材を脇の下および首筋に容易に配置可能で、さらに保冷材の交換も容易に行える。また、ベスト１は全体的にタオル地でできているため吸汗性が高く、ユーザにとって着心地がよい。また、ベスト１は全体として、概ね長方形状の１枚のタオル地をカットし、スナップボタンや紐などを取り付けた構造をしており、例えば立体縫製などの高度な縫製技術を要さないため、比較的低コストで製造が可能である。
【００４２】
（変形例）
上述した実施例は、本考案の技術的思想の範囲内で様々に変形が可能である。以下にそれらの変形の例を示す。
【００４３】
まず、上述したベスト１の各構成要素を特定する数値、形状、素材、個数、位置などはあくまでも一例であって、特に問題がなければその他の数値、形状、素材、個数、位置などが用いられてもよい。
【００４４】
例えば、本体部１１は、平面上に広げた状態で概ね長方形状をなすものとしたが、本考案はその点に関し限定されるものではない。従って、本体部１１は、例えば平面上に広げた状態で台形など、長方形とは異なる形状を有していてもよい。
【００４５】
また、本体部１１をはじめ、ベスト１を構成する構成要素の多くはタオル地であるものとしたが、特に問題がなければタオル地以外の布地がそれらに用いられてもよい。ただし、タオル地のように吸汗性が高く、洗濯における耐久性も高い生地がベスト１の主たる素材としては望ましい。
【００４６】
なお、上述した説明においては言及しなかったが、ベスト１の各構成要素の耐久性を高めるため、裁断面においてはそれを保護するようにバイアステープ等の保護部材が取り付けられていることが望ましい。ただし、本考案はその点に関し限定されず、十分な耐久性が確保される場合には、バイアステープ等は取り付けられていなくてもよい。
【００４７】
また、上述したベスト１においては、右側連結部材１２、左側連結部材１３、前側連結部材１４、右側連結紐１５と右側収納袋１７を連結する部材、左側連結紐１６と左側収納袋１８を連結する部材として、全てスナップボタンが採用されるものとしたが、それらの連結用の部材としては、開閉可能な部材であれば、スナップボタン以外の既知のいずれの部材が採用されてもよい。そのような部材としては、例えばボタンとボタン穴、線ファスナー、面ファスナー、紐などが考えられる。
【００４８】
また、上述したベスト１において採用されているスナップボタンのオス部材とメス部材の配置は逆であってもよい。
【００４９】
また、上述したベスト１においては、右側連結紐１５および左側連結紐１６に取り付けられている複数のスナップボタンのオス部材のいずれかが選択され、それに対し、右側収納袋１７および左側収納袋１８に取り付けられているスナップボタンのメス部材が取り付けられることで、右側連結紐１５および左側連結紐１６の本体部１１と右側収納袋１７および左側収納袋１８との連結位置との間の長さが調整される構成が採用されるものとしたが、本考案はその点に関し限定されず、他の構成によって本体部１１と右側収納袋１７および左側収納袋１８との距離が調整可能とされてもよい。
【００５０】
例えば、右側連結紐１５および左側連結紐１６を本体部１１側に縫い付けられるのではなく、右側収納袋１７および左側収納袋１８側に縫い付けられる構成が採用されてもよい。その場合、本体部１１の肩部内側に例えばスナップボタンのメス部材が縫い付けられ、そのメス部材に対し右側連結紐１５および左側連結紐１６に縫い付けられた複数のオス部材のうちの１つが選択的に取り付けられることになる。
【００５１】
また、例えば右側連結紐１５および左側連結紐１６の各々を、本体部１１の肩内側部分に縫い付けられた２本の紐状体と、右側収納袋１７および左側収納袋１８に縫い付けられた２本の紐状体により構成し、それらの紐状体同士をスナップボタン等で連結する構成が採用されてもよい。その場合、右側連結紐１５および左側連結紐１６の中間部分において連結に用いられるスナップボタンが選択されることにより、右側連結紐１５および左側連結紐１６の長さが調整されることになる。
【００５２】
また、上述のベスト１においては、右側連結紐１５および左側連結紐１６は各々、２本一組の紐状体で構成されるものとしたが、例えば１本の紐状体によりそれらが構成されてもよい。具体的には、本体部１１の肩部分に前後に２つ紐を通すための孔を設け、それらの孔に１本の紐状体で構成される右側連結紐１５もしくは左側連結紐１６を通し、その紐状体の端部を各々、右側収納袋１７もしくは左側収納袋１８に連結する。そのような構成によっても、右側収納袋１７および左側収納袋１８をユーザの脇の下の適当な位置に配置することができる。
【００５３】
また、本体部１１の肩部分に前後に２つ紐を通すための孔を設け、右側収納袋１７もしくは左側収納袋１８に取り付けられた２本の紐状体の各々をそれらの孔に通した後、本体部１１の肩部上側でそれらの２本の紐状体を互いに結ぶことにより、右側収納袋１７もしくは左側収納袋１８を脇の下に吊り下げる構成が採用されてもよい。
【００５４】
また、上述したベスト１において、本体部１１の孔Ｈの周りに保冷材を収納するための収納部を設けてもよい。そのような収納部の一例としては、孔Ｈの縁端部に２枚重ねのＣ字形状の帯状体を襟として縫い付け、それら２枚の帯状体の外縁部に何組かのスナップボタンを取り付けたものが考えられる。また、孔Ｈの周りに保冷材を収納するための収納部の他の例としては、孔Ｈの縁端部にＣ字形状の帯状体を１枚、襟として縫い付け、その襟とその下に対向する本体部１１との間を開閉可能とするように何組かのスナップボタンを取り付けたものが考えられる。
【００５５】
上記のいずれの場合も、ユーザは、例えばＣ字形状の保冷材を２枚重ねの襟の間、もしくは襟と本体部１１との間に挟み込んだ後、スナップボタンを閉じることで、保冷材を襟に収納することができる。なお、襟の素材としては、吸汗性や洗濯時の利便性等を考慮して本体部１１などと同じタオル地であることが望ましいが、他の素材が採用されてもよい。
【００５６】
また、上述した実施例の説明においては、右側収納袋１７および左側収納袋１８に収納される被収納物を保冷材であるものとしたが、本考案はこの点に関し限定されず、それらの収納スペースに、例えばカイロなどの保温材が収納されてもよい。
【００５７】
また、上述したベスト１の使用方法はあくまでも一例であって、ベスト１の使用方法はそれに限定されない。
【産業上の利用可能性】
【００５８】
本考案にかかるベストは、病気にかかり発熱をした全てのユーザにとって有用であるため、大量に製造・販売され、いわゆる製造業や、小売業などのサービス業において利用可能である。
【符号の説明】
【００５９】
１…ベスト、１１…本体部、１２…右側連結部材、１３…左側連結部材、１４…前側連結部材、１５…右側連結紐、１６…左側連結紐、１７…右側収納袋、１８…左側収納袋
【図１】
0003173539.tif 000003
【図２】
0003173539.tif 000004
【図３】
0003173539.tif 000005
【図４】
0003173539.tif 000006
【図５】
0003173539.tif 000007